(57)【要約】【課題】  使用中の着用者の胴周りに腫れやかぶれ等を与えることがないように適度な伸縮力をもって締め付けることができ、また、サイドパネル部を綺麗に折り畳めるようにして介護者等がおむつ交換等の作業を容易に行うことができるようにした使い捨てのテープ式紙おむつを提供する。【解決手段】  少なくとも、表面側に配置されるトップシートと、裏面側に配置されるバックシートと、前記シート間に介在された吸収体とによりおむつ本体が構成され、該おむつ本体の背部側の両サイドパネル部にファスニングテープを有して成る使い捨てのテープ式紙おむつにおいて、前記サイドパネル部の幅方向を伸縮部と非伸縮部とに区画された２区画以上の領域により構成する。【選択図】図１
2005287871.tif 000002
【特許請求の範囲】
【請求項１】
少なくとも、表面側に配置されるトップシートと、裏面側に配置されるバックシートと、前記シート間に介在された吸収体とによりおむつ本体が構成され、該おむつ本体の背部側の両サイドパネル部にファスニングテープを有して成る使い捨てのテープ式紙おむつにおいて、前記サイドパネル部の幅方向を伸縮部と非伸縮部とに区画された２区画以上の領域により構成したことを特徴とするテープ式紙おむつ。
【請求項２】
前記伸縮部と前記非伸縮部とは異なる剛度を有することを特徴とする請求項１に記載のテープ式紙おむつ。
【請求項３】
前記伸縮部はその長さが前記サイドパネル部の幅方向内側よりも外側の方が短く形成されていることを特徴とする請求項１または請求項２に記載のテープ式紙おむつ。
【請求項４】
前記サイドパネル部は前記伸縮部と前記非伸縮部との境界部より折り畳めることを特徴とする請求項１ないし請求項３のいずれかに記載のテープ式紙おむつ。
【発明の詳細な説明】
【技術分野】
【０００１】
本発明は、テープ式紙おむつに関し、更に詳細には、着用者の胴周りに適度な伸縮力をもって締め付けることができ、かつ容易に折り畳めるようにした使い捨てのテープ式紙おむつに関する。
【背景技術】
【０００２】
従来、使い捨ての紙おむつとしてパンツ型とテープ式が一般に知られている。このうちパンツ型の紙おむつは、その両側部が溶着されて全体が予めパンツ型に形成され、胴周りの大きさが決められているため、購入する場合には着用者の胴周りサイズに合ったものを選定する必要がある。これに対しテープ式の紙おむつは、着用者が装着した後にファスニングテープを着用者の胴周りサイズに合わせて腹部位置に止着できるようになっているため、購入した紙おむつのサイズが着用者の胴周りサイズと幾分異なっていても調節ができる利点があることからユーザーに多用されている。
【０００３】
図６は、このテープ式の使い捨て紙おむつの一例である、特許文献１に開示された紙おむつを展開して表面側、すなわち肌当接面側から見た平面図である。
【０００４】
図示するように、この紙おむつ１００は、主として、裏面側に配置され、ポリエチレン等のプラスチックシートや不織布、あるいはこれらの組み合わせから成る不透液性のバックシート１０１と、表面側に配置され、不織布等から成る透液性のトップシート１０２と、前記シート間に介在された吸収体１０３とにより平面形状が砂時計形状とされたおむつ本体１０４が構成されている。吸収体１０３の両側縁長手方向には、表面側に設けられた不織布等から成る立体ギャザーシート１０５と、その内側端縁に沿って配設された糸ゴム等から成る複数本の弾性伸縮部材１０６ａとにより表面側に起立する立体ギャザー１００ＢＳが形成され、吸収体１０３の側縁よりも側方に延在されたバックシート１０１部分と、立体ギャザーシート１０５の外側シート部分とにより吸収体１０３の介在しないサイドフラップ部１００ＳＦが形成され、かつこれらの間には複数本の弾性伸縮部材１０６ｂがおむつ本体１０４の長手方向に沿って配置されることにより、サイドフラップ部１００ＳＦにはひだ状の平面ギャザー１００ＧＫが形成されている。また、この紙おむつ１００の腹部側位置１００ＦＰ及び背部側位置１００ＢＰの幅方向には、夫々複数本の弾性伸縮部材１０６ｃ、１０６ｄが配設され、これによりエンドフラップ部１００ＥＦ１、１００ＥＦ２が形成されている。さらにまた、おむつ本体１０４の背部側位置１００ＢＰにおける左右の張り出し部、すなわち両サイドパネル部１００ＳＰにはオス材１０７を備えたファスニングテープ１０８が溶着等の手段により幅方向に連結されている。なお、この紙おむつ１００にはバックシート１０１と吸収体１０３との間に図示しない防水フィルムが配設されている。
【０００５】
以上のとおり構成されたこの紙おむつ１００は、図７に装着状態を斜視図で示すように、着用者の股間部に装着された後、ファスニングテープ１０８のオス材１０７がバックシート１０１の腹部側位置１００ＦＰに形成されているオス材（図示せず）とメカニカルに係合、止着され、かくしてこの紙おむつ１００が着用者の胴周りに固定される。
【０００６】
ところが、この紙おむつ１００においては、上述したサイドパネル部１００ＳＰが通常プラスチックシートや不織布、あるいはこれらの組み合わせから成るシート材により形成され、このサイドパネル部１００ＳＰに同様な素材で形成されたファスニングテープ１０８を結合することにより止着手段が構成されているため、装着に際しファスニングテープ１０８がオス材１０７を介して腹部側位置１００ＦＰに一旦止着、固定されると適度な伸縮力が得られなくなり、このため胴周りでの調節ができなくなるという不具合があった。このように胴周りでの調節ができなくなると、この紙おむつ１００を使用しているうちに着用者の胴周りが擦れて赤く腫れたりただれたりし、また、汗が付着してかぶれる等の問題があった。とくに、このような問題は、この紙おむつ１００を皮膚の弱い乳幼児が着用した場合に顕著に現れることから、ユーザー、とくに乳幼児用紙おむつのユーザーからは改良の要望が強かった。
【０００７】
また、上述したサイドパネル部ＳＰを構成する素材は一般にゴワゴワしているために、このサイドパネル部ＳＰを綺麗に折り畳むことができず、このため介護者がおむつの交換や整理、あるいは後処理等の作業を行う上で支障があった。
【特許文献１】特開２００１−９５８３８公報
【発明の開示】
【発明が解決しようとする課題】
【０００８】
本発明は上述したような実情に鑑みてなされたもので、その目的とするところは、使用中の着用者の胴周りに腫れやかぶれ等を与えることがないように適度な伸縮力をもって締め付けることができ、また、サイドパネル部ＳＰを綺麗に折り畳めるようにして介護者等がおむつ交換等の作業を容易に行うことができるようにした使い捨てのテープ式紙おむつを提供することにある。
【課題を解決するための手段】
【０００９】
本発明の上記目的は、少なくとも、表面側に配置されるトップシートと、裏面側に配置されるバックシートと、前記シート間に介在された吸収体とによりおむつ本体が構成され、該おむつ本体の背部側の両サイドパネル部にファスニングテープを有して成る使い捨てのテープ式紙おむつにおいて、前記サイドパネル部の幅方向を伸縮部と非伸縮部とに区画された２区画以上の領域により構成したことを特徴とするテープ式紙おむつを提供することにより達成される。
【００１０】
また、本発明の上記目的は、前記伸縮部と前記非伸縮部とは異なる剛度を有することを特徴とするテープ式紙おむつを提供することにより、より効果的に達成される。
【００１１】
また、本発明の上記目的は、前記伸縮部の長さは前記サイドパネル部の内側よりも外側の方が短く形成されていることを特徴とするテープ式紙おむつを提供することにより、より効果的に達成される。
【００１２】
さらにまた、本発明の上記目的は、前記サイドパネル部は前記伸縮部と前記非伸縮部との境界部より折り畳めることを特徴とするテープ式紙おむつを提供することにより、より効果的に達成される。
【発明の効果】
【００１３】
上述したように、本発明に係わるテープ式紙おむつは、サイドパネル部の幅方向が２区画以上に渡って伸縮部と非伸縮部とに分割され、複数の伸張応力と剛性とにより適度の伸縮力が得られるようになっているので、ファスニングテープを腹部位置に止着して本紙おむつを使用しているときに、着用者の無理な運動等により胴周りに異常な力が作用してもこの力を緩和することができる。よって、本紙おむつによれば、着用者の胴周りに腫れやただれ、あるいはかぶれ等を生じることがなく、安心して着用することができる。
【００１４】
とくに、前記伸縮部と前記非伸縮部とを互いに異なる剛度を有する部材で構成し、また、この伸縮部の長さを前記サイドパネル部の内側に比べ外側の方を短く形成することにより、上記効果を一層顕著なものとすることができる。
【００１５】
さらにまた、本紙おむつは、前記伸縮部と前記非伸縮部との境界部（実質的には前記伸縮部）より前記サイドパネル部を楽に折り畳むことができるので、おむつの交換や整理、あるいは後処理等の介護者による作業が容易となる利点がある。
【発明を実施するための最良の形態】
【００１６】
以下、本発明の内容を好ましい実施例に基づき説明する。なお、本発明は必ずしも以下の実施例に限定されるものではなく、特許請求の範囲を逸脱しない範囲において、その構成を種々に変更できるものであることはいうまでもない。
【００１７】
図１は、本発明の実施形態に係わる使い捨てのテープ式紙おむつ（以下、「本紙おむつ」という）１０を、前述した従来の紙おむつ１００と同様に展開して表面側から見た平面図である。なお、本紙おむつ１０は、後述するように止着手段の構成を除くその他の構成は前述した従来の紙おむつ１００と共通しているので、以下は共通する構成要素には対応する１０番台の符号を付して説明する。
【００１８】
本紙おむつ１０は、前述した従来の紙おむつ１００と同様に、少なくとも、裏面側に配置され、ポリエチレン等のプラスチックシートや不織布、あるいはこれらの組み合わせから成る不透液性のバックシート１１と、表面側に配置され、不織布等から成る透液性のトップシート１２と、前記シート間に介在され、図示しないクレープ紙で被覆されて成る吸収体１３とにより平面形状が砂時計形状とされたおむつ本体１４が構成されている。吸収体１３の両側縁長手方向には、表面側に設けられた不織布等から成る立体ギャザーシート１５と、その内側端縁に沿って配設された糸ゴム等から成る複数本の弾性伸縮部材１６ａとにより表面側に起立する立体ギャザー１０ＢＳが形成され、吸収体１３の側縁よりも側方に延在されたバックシート１１部分と、立体ギャザーシート１５の外側シート部分とにより吸収体１３の介在しないサイドフラップ部１０ＳＦが形成され、かつこれらの間には複数本の弾性伸縮部材１６ｂがおむつ本体１０４の長手方向に沿って配置されることにより、サイドフラップ部１０ＳＦにはひだ状の平面ギャザー１０ＧＫが形成されている。また、本紙おむつ１０の腹部側位置１０ＦＰ及び背部側位置１０ＢＰの幅方向には、夫々複数本の弾性伸縮部材１６ｃ、１６ｄが配設され、これによりエンドフラップ部１０ＥＦ１、１０ＥＦ２が形成されている。さらにまた、おむつ本体１４の背部側位置１０ＢＰにおける左右の張り出し部、すなわち両サイドパネル部１０ＳＰの幅方向端部にはオス材１７を備えたファスニングテープ１８が連結されている。なお、この紙おむつ１０にはバックシート１１と吸収体１３との間に図示しない防水フィルムが配設されている。この防水フィルムは必要に応じ適宜に設けられる。
【００１９】
本紙おむつ１０においては、前述した従来の紙おむつ１００と同様に、両サイドパネル部１０ＳＰにファスニングテープ１８を連結することにより止着手段が構成されているが、本紙おむつ１０におけるこの止着手段（以下、「本止着手段」といい符号２０で表わす）の構造、とくにこの主要部を占めるサイドパネル部１０ＳＰの構造は従来ものに比べ大きく異なっている。
【００２０】
すなわち、本止着手段２０は、図１に一点鎖線の楕円で示し、図２では図１のＸ−Ｘ断面図で示すように、オス材１７を有するファスニングテープ１８をサイドパネル部１０ＳＰの端部に接着剤２１を介して接着、連結して成っており、サイドパネル部１０ＳＰの幅方向の部位には長手方向に延びる非伸縮部２２ａと伸縮部２３ａ、及び、非伸縮部２２ｂと伸縮部２３ｂとに区画された２区画の領域が形成されている。そして、サイドパネル部１０ＳＰは、図２に示すように、バックシート１１を構成する２枚の不織布１１ａ、１１ｂの間に伸縮部材２４を所定の間隔をもって介在させ、伸縮部材２４の介在しない部位に接着剤２１を配置して２枚の不織布１１ａ、１１ｂを接着することにより形成されており、前記伸縮部２３ａ、２３ｂは弾性伸縮部材２４が不織布１１ａ、１１ｂ間に介在された領域に設定され、また前記非伸縮部２２ａ、２２ｂは接着剤２１が不織布１１ａ、１１ｂ間に介在された領域に夫々設定されている。
【００２１】
伸縮部材２４の形成材料としては、特に限定されるものではないので、例えば熱可塑性エラストマー、プラスチックシート、ゴムシート等の伸縮性を有する公知の種々のものを使用することができるが、熱可塑性エラストマーを使用することが好ましい。この熱可塑性エラストマーとしては、特に限定されるものではないので、例えばスチレン系エラストマー、オレフィン系エラストマー、ポリブタジエン系エラストマー、ポリエステル系エラストマー、ポリアミド系エラストマー、ウレタン系エラストマー、塩ビ系エラストマー、フッ素系エラストマー、アイオノマー樹脂、シリコーン系樹脂等の公知の種々のものを用いることができる。また、これらの熱可塑性エラストマーは単独で用いても良いが、２種以上を混合して用いても良い。なお、これらの熱可塑性エラストマーの中でも、特にスチレン系エラストマー又はオレフィン系エラストマーを用いることが好ましい。
【００２２】
また、これらの伸縮部材２４は、その表面及び／又は裏面に不織布が配設されていることが好ましい。この不織布を構成する素材繊維としては、特に限定されるものではないので、例えばポリプロピレン（ＰＰ）、ポリエチレン（ＰＥ）、ナイロン、ポリエステル（ＰＥＴ等）、アクリル等や、またＰＥ／ＰＰ混合不織布、ＰＥ／ＰＥＴ混合不織布など上記素材を適宜組み合わせたバイコンポーネント繊維（混合繊維）等の公知の種々の素材繊維を用いることができる。また、このような素材繊維から不織布を製造する方法としては、特に限定されるものではないので、例えばケミカルボンド法、サーマルボンド法、スパンレース法、スパンボンド法、メルトブローン法、ニードルパンチ法等、公知の種々の加工法を適宜用いることができる。
【００２３】
なお、伸縮部材２４は、その表面及び／又は裏面に不織布が配設されていなくても、本発明の所望とする目的を達成することができる。
【００２４】
ここに、伸縮部２３ａ、２３ｂ領域を形成する不織布１１ａ、１１ｂには長手方向に延びる複数本のスリット２３ｓが幅方向に等間隔に刻設されている。これによりサイドパネル部１０ＳＰはこのスリット２３ｓを有する伸縮部２３ａ、２３ｂを介して幅方向に伸縮自在となっている。
【００２５】
また、上述したように、非伸縮部２２ａ、２２ｂは接着剤２１で固着されて剛度の高い領域となっているのに対し、伸縮部２３ａ、２３ｂはスリット２３ｓを有する柔軟なシート材、すなわち不織布１１ａ、１１ｂ、及び伸縮部材２４で構成されているので剛度の小さい領域となっている。
【００２６】
さらにまた、図１に示すように、サイドパネル部１０ＳＰの幅方向外側に位置する伸縮部２３ａはその長さが幅方向内側に位置する伸縮部２３ｂより短く（本実施形態ではその長さが約半分に）形成されている。このため、伸縮部２３ａと伸縮部２３ｂとは同一の素材から成ってはいるが、各部位における伸長応力は互いに異なったものとなり、長さの長い伸縮部２３ｂ領域では大幅に引き伸ばされるのに対し、長さの短い伸縮部２３ａ領域では引き伸ばされる幅が小さくなっている。なお、非伸縮部２２ａ、２２ｂと伸縮部２３ａ、２３ｂの各領域の長さ寸法及び幅寸法は紙おむつの種類や用途等に応じ、任意の値に設定される。
【００２７】
以上のとおり、本紙おむつ１０では止着手段２０を構成するサイドパネル部１０ＳＰが幅方向において異なる伸長応力を有する複数（２つ）の伸縮部２３ａ、２３ｂによって形成され、かつ、その伸長応力が幅方向外側に向かって次第に小さくなるように設定されているので、本紙おむつ１０を使用するに際して止着手段２０は次のとおり作用する。
【００２８】
すなわち、介護者がファスニングテープ１８を左右から前方に引き出し、先端部を引っ張ってオス材１７を着用者の腹部位置１０ＦＰに止着するとき、ファスニングテープ１８は先ず幅方向内側に位置する伸縮部２３ｂ領域で大幅に伸長され、次いで外側に位置する伸縮部２３ａ領域で小幅に伸張され、微調整されながらファスニングテープ１８の先端部のオス材１７が所望の腹部位置１０ＦＰに止着される。このように本紙おむつ１０によれば、ファスニングテープ１８を最初は大幅に、そして止着位置を定めるときには小幅で微調整ができるように作られているので、介護者による着用者への止着作業を手際よく行なうことができる。
【００２９】
また、着用中に着用者の胴周りに異常な力が作用しても、伸縮部２３ａ、２３ｂにより適度な伸長力が得られるので、着用者の胴周り部に腫れやただれ、あるいは汗によるかぶれ等を与えることがない。
【００３０】
さらにまた、上述したように、非伸縮部２２ａ、２２ｂと伸縮部２３ａ、２３ｂとの剛性が異なるので、サイドパネル部１０ＳＰを両者の境界部より容易に折り畳むことができる。よって、本紙おむつ１０によれば、介護者はおむつの交換や整理、あるいは後処理等の作業を容易に行なうことができる。
【００３１】
以上、本発明の内容を一実施形態に基づき説明したが、本発明はその要部の構成を次のように変更することができる。
【００３２】
図３は本発明の他の実施形態に係わる紙おむつ１０Ａの展開平面図で、その上半分のみを示したものである。なお、本紙おむつ１０Ａは、要部である止着手段２０Ａを除くその他の構成は前述した紙おむつ１０と実質的に同一なものである。
【００３３】
図示するように、本紙おむつ１０Ａにおける止着手段２０Ａは、輪郭が曲線により形成された両サイドパネル部１０ＳＰの部位が、幅方向外側に向かって長さが次第に短く形成された３区画から成る非伸縮部２２ａ、２２ｂ、２２ｃと伸縮部２３ａ、２３ｂ、２３ｃとで構成されている。なお、止着手段２０Ａの断面方向における構成は前記止着手段２０と同様となっている。ここに、この区画数は３区画に限らず、必要に応じさらに多く設定することができる。
【００３４】
このように区画数を多く設定すると、サイドパネル部１０ＳＰがファスニングテープ１８を介して幅方向外側に向かう張力を受けたときに、サイドパネル部１０ＳＰが外側に向かって伸張される幅がさらに細かく分散され、内側から外側に向かって伸張される幅が漸減されるので介護者はファスニングテープ１８の止着作業を一層楽に行うことができる。
【００３５】
なお、本発明における上述した止着手段２０、２０Ａは図４及び図５に断面図示すような構成とすることもできる。
【００３６】
すなわち、図４に示す止着手段２０Ｂは、伸縮部材２４の左右端部がバックシート１１を構成する不織布１１ａ、１１ｂによって挟持され、かつ外側の端部が接着剤２１により不織布１１ａ、１１ｂに接着されて成っているものであり、また、図５に示す止着手段２０Ｃは、伸縮部材２４の左右端部が接着剤２１によりバックシート１１に接着されて成っているものである。
【００３７】
このような止着手段２０Ｂ、２０Ｃを本発明に係わる紙おむつに適用すると、伸縮部材２４の表面が着用者の肌に直接触れる構造であるため肌触りの面で、また強度や製造上の面で若干改良の余地はあるが、前述した止着手段２０、２０Ａのようにスリット２３ｓを刻設する必要がなく、構造もシンプルなものとなるのでコスト面では有利である。
【００３８】
また、本発明においては、ファスニングテープの形状や止着構造は前述したファスニングテープ１８のものに限定されるものではなく、当分野で公知の他のテープを適用することができる。さらにまた、止着手段を構成する各種の部材を接着剤により接着し一体化するようにしたが、これを例えばヒートシール等の熱溶着手段による等の、当分野で一般によく知られた種々の方法を適用することができる。
【図面の簡単な説明】
【００３９】
【図１】本発明の一実施形態に係わるテープ式紙おむつの展開平面図である。
【図２】図１のＸ−Ｘ断面図である。
【図３】本発明の他の実施形態に係わるテープ式紙おむつの展開平面図である。
【図４】本発明の要部である止着手段の変更例の断面図である。
【図５】本発明の要部である止着手段の他の変更例の断面図である。
【図６】従来のテープ式紙おむつの展開平面図である。
【図７】テープ式紙おむつの装着時の状態を示す斜視図である。
【符号の説明】
【００４０】
１０、１００                    テープ式紙おむつ
１０ＢＳ、１００ＢＳ            立体ギャザー
１０ＥＦ、１００ＥＦ            エンドフラップ部
１０ＧＫ、１００ＧＫ            平面ギャザー
１０ＳＦ、１００ＳＦ            サイドフラップ部
１０ＳＰ、１００ＳＰ            サイドパネル部
１２、１０２                    トップシート
１３、１０３                    吸収体
１４、１０４                    おむつ本体
１５、１０５                    立体ギャザーシート
１６ａ〜ｄ、１０６ａ〜ｄ        弾性伸縮部材
１７、１０７                    オス材
１８、１０８                    ファスニングテープ
２０、２０Ａ、２０Ｂ、２０Ｃ    止着手段
２１                            接着剤
２２ａ、２２ｂ、２２ｃ          非伸縮部
２３ａ、２３ｂ、２３ｃ          伸縮部
２３ｓ                          スリット
２４                            伸縮部材
【図１】
2005287871.tif 000003
【図２】
2005287871.tif 000004
【図３】
2005287871.tif 000005
【図４】
2005287871.tif 000006
【図５】
2005287871.tif 000007
【図６】
2005287871.tif 000008
【図７】
2005287871.tif 000009